(57)【要約】【課題】警棒の取出しには、出し入れ口が上部にあるため、脱落防止の補助ベルトを外したり、両手を使ったり、又は上衣を着ている場合等は上衣を持ち上げての動作となるため、迅速な取出しが出来なかった。【解決手段】帯革体６の上部から鍔押さえ用ワイヤー保持具１７にワイヤー５を、中部には保持具２４に雌型棒体支持金具１５を、下部には棒体揺れ留め保持具１６に棒体振れ留め１６aを配設し、ワイヤー５先端部に雄型棒体支持金具３を配設し、雌型棒体支持金具１５、ワイヤー５共に上下に回動自在に設け、警棒の鍔部を雄型棒体支持金具凸型嵌合部４と雌型棒体支持金具凹型嵌合部１４を接合させ、帯革体６に保持固定する。警棒は雌型棒体支持金具１５側面の離放用釦２を両側面から押圧する事により、接合部が外れ下方から速やかに取出せる。【選択図】  図２
0003105017.tif 000002
【実用新案登録請求の範囲】
【請求項１】
警棒を、嵌合係止自在の留め金具により帯革体に固定しておき、取出す際は接合部を外すことにより速やかに取出せることを特徴とする警棒吊り。
【考案の詳細な説明】
【技術分野】
【０００１】
本考案は、たとえば警棒を速やかに取出すための警棒吊りに関する。
【背景技術】
【０００２】
以下鍔付伸縮式警棒を警棒と略して説明するが、警棒は使用目的からすれば警棒を警棒受け等に確実に固定するとともに、緊急取出し時には速やかに取り出せなければならないという条件が必要であり、現状は警棒を筒状もしくは、皮製の台に取り付けられたリング状の輪の中に差し込み、これをバンド等に止め携帯している。（たとえば特許文献特開平８−４２９９７号参照。）。
特許文献特開平８−４２９９７号の製品は、警棒を皮製の台に取り付けられたリング状の輪の中に差し込み、これをベルト、帯革等に装着して使用している状態である。
【特許文献１】特開平８−４２９９７号  広報
【考案の開示】
【考案が解決しようとする課題】
【０００３】
緊急に警棒を使用しなければならない場合において、たとえば、特許文献特開平８−４２９９７号のリング式警棒吊り又は上方からの出し入れの警棒吊りにあっては警棒を取出す場合、同文献に記載の補助ベルトと記述の警棒の脱落防止装置を外して、その後警棒吊りの上方から警棒を取出し警棒を完全に伸ばした後、暴漢等の違法行為者に対して構えなければならないためその間の諸動作には、取り出しの際両手を使ったり、取出した警棒を持ち替えたり、警棒を伸ばすなどと手間取ることから、速やかに警棒を取出せず、又は上衣を着ている場合等は上衣を持ち上げながらの動作となることからさらに手間取り、緊急時において迅速な取出しが出来ない状態である。
【０００４】
さらにリング式の警棒吊りにあっては、緊急取出しを行なったとき、警棒の持把部がゴム製の滑り止め仕様が故にリングとの間に高摩擦を生じ、プラスチック製リング保持金具、ビニール製リング抜け止め帯革を強引に押し広げてリングを上方に回動させるため、抜こうとした警棒は、斜め上方に回動したリングでロック状態となり、全く抜けなくなる。また先の緊急取り出しに固守せず通常の取扱いにおいても、長期の使用や携行により帯革体本体が軟弱となったり、リング保持部周辺が摩耗、伸緩を生じることから、容易にリングが上方へ回動するなどし、取出しを困難とせしめる要因が多々発生している。
【課題を解決するための手段】
【０００５】
本考案は、警棒を警棒本来の使用目的からして、警棒受けに確実に固定させると共にかつ緊急時には速やかな取出しが可能で、さらには取出し後から警棒を構えるまでの動作をも考慮し、その所要時間を大幅に短縮すべくとの基本的見知からの発案により、基本的には警棒の鍔部を、嵌合係止自在の留め金具で保持固定するもので、帯革体表面上部からの化学繊維製強化ワイヤー２本で警棒の鍔部を押さえ、以下ワイヤーと略して説明の同ワイヤー先端に配設の雄型棒体支持金具のＵ型形の凸型嵌合部を、帯革体表面中部に配設の雌型支持金具の凹型嵌合部に挿入接合し、警棒を帯革体に保持固定すると共に、帯革体表面の下部に配設の上下に回動する棒体揺れ留めを、ほぼ水平に回動させ棒体を半固定する構造で、警棒の確実な保持固定と、留め金具を外す事により警棒を下方に向けて速やかに取出せることを特徴とする。
【考案の効果】
【０００６】
本考案は、警棒を警棒本来の使用目的からして、取り出し後から警棒を構えるまでの動作をも考慮しその総合所要時間を大幅に短縮できるもので、警棒の鍔部下部を保持する、嵌合係止自在、離脱押し釦式留め金具の雌型棒体支持金具支軸を挿通させた保持具を、帯
革体表面の中央部よりやや上方に配設、棒体の鍔部分を雌型棒体支持金具に保持させると共に帯革体表面の上方に配設の鍔押さえ用ワイヤー保持具に同ワイヤー中央部を保持させ、その先端に雄型棒体支持金具が配設された鍵型の雄型棒体支持金具凸型嵌合部を雌型棒体支持金具凹型嵌合部に接合し棒体の保持をすると共に警棒を帯革体表面に固定する。帯革体表面の下方に配設の棒体揺れ留め保持具に保持部を支点として上下に回動する棒体揺れ留めの中央部を保持させ、棒体揺れ留めを上方に回動させ棒体を半固定する。警棒を抜き取るには、警棒を警棒の下方から中指、薬指、小指で警棒の柄部を順手に握ると同時に母指、示指先端部で鍔下の雌型棒体支持金具の両側面に付している離脱用押し釦を両側面から押圧することにより、ワイヤー先端部の雄型棒体支持金具がその押圧で突飛するがごとく離放され、又接合解離釦肢指の離放により雌型棒体支持金具はそのまま下方に回動する。警棒は棒体支持部の接合部が離放した時点で下方に引き抜くが、２本のワイヤー間の間隙は広く又警棒の先端部は、約８センチと短くかつ鉄製の金属で滑らかであるため、鍔前部は抜通時に何ら支障無く下方に引き抜け、警棒が抜けると同時に雄型棒体支持金具凸型嵌合部も鍔押さえ用ワイヤー保持部を支点に下方に回動する。警棒付属脱落防止ストラップはその先端に小型の根付け、鰐口クリップ等を付属させ、これをベルトとズボン間に差し鋏んだり、ベルトに鋏むことにより、さらにストラップ止めを帯革体表側に向くように警棒を取付けると、警棒の奪取防止、警棒取出し時の万が一の落下防止、ストラップのゆれ防止、引っかけ防止が図られるとともに、又外観上も体裁良く整うものである。
【考案を実施するための最良の形態】
【０００７】
本考案の警棒吊りから警棒を取出し構える間での動作は、警棒入れを左腰に装着している場合、まず右手で警棒の下方から中指、薬指、小指で警棒の柄部を順手に掌握すると同時に、母指、示指先端部で鍔部下の雌型棒体支持金具の両側面に付している離脱用押し釦を両側面から押圧することにより、ワイヤー先端部の雄型棒体支持金具がその押圧で抜出離放され、又接合解離釦から母指、示指を離すことにより、雌型棒体支持金具はそのまま下方に回動する。帯革体の表面下方に配設の棒体揺れ止めも棒体を掌握すると同時に棒体から離放し下方に回動する。
【０００８】
棒体支持部の接合部が離放すれば、警棒は自然に掌中に入り、順手で掌握した警棒をそのまま下方に引き抜くのであるが、接合部が離放した時点では警棒の鍔前部は依然２本のワイヤー間に存在するが、ワイヤーは柔軟性がある上、ワイヤーと警棒間の間隙は十分にあり、又警棒の先端部は約８センチと短く、かつ鉄製の金属で滑らかであるため、鍔前部は抜通時に何ら障害無く下方に引き抜くことが出来、警棒が抜けると同時にワイヤー及びワイヤーに配設の雄型棒体支持金具もワイヤー保持具を支点に下方に回動する。
【０００９】
警棒を掴んで構えるまでの動作は、警棒先端部分の軌道は最初下方に向かい、その後上方へと弧を描き構えとなることから、最小の弧形で警棒先端部分は重力と遠心力の作用により伸長して最長サイズとなり、引き抜きから構えまでが一挙動で終了する。
【実施例】
【００１０】
以下本考案の実施例を図面を参照して説明する。図１は本考案の警棒吊り１を示す正面図であり、図２は警棒吊り１の側面図である。警棒吊り１は、警棒吊り１の本体を兼ねたベルト通し２３を備え、ベルト通し２３の正面側には上部から下部にかけて３段の、上部から鍔押さえ用ワイヤー保持金具１７、中部には雌型棒体支持金具保持具２４、下部には棒体振れ留め保持具１６が取り付けられると共に、ワイヤー保持具１７にはワイヤー５、雌型棒体支持金具保持具２４には雌型棒体支持金具１５、棒体振れ留め保持具１６には表面がゴム製の棒体振れ止め１６aがそれぞれその１部を支持されている。ワイヤー保持具１７の保持部から伸長する２本のワイヤー５の先端には雄型棒体支持金具３が取り付けられている。
【００１１】
ベルト通し２３は、図２に示すように、縦方向に長尺の帯革体６の上端を下方に向けて上部よりを裏面側に折り返されて上部折り返し部７が形成され、上部折り返し部７と帯革体最下部１９aの間によって表当て６aが形成される。帯革体最下部１９a と同位置の裏面側１８aから最上部２１aの間でベルト通し２３と同質材の帯革体２０により裏当て２０aが形成されており、裏当て２０aの上部の裏面側に重なるように帯革体６の上部折り返し７よりも裏面側がベルト通し止め２２aに形成されている
【００１２】
帯革体６正面側下部には、棒体揺れ止め保持具１６が、保持部１６bを支点に上下に回動する棒体揺れ止め１６aの一部を挟み配設されている。
【００１３】
帯革体６正面側中部上方寄りには、雌型棒体支持金具保持具２４が同受軸部１４aを支点に上下に回動する雌型棒体支持金具１５の支軸部１３aを挟み配設されている。
【００１４】
帯革体６正面側上部には、ワイヤー保持金具１７がワイヤー５を挟み配設されると共に、
ワイヤー先端部は図３、図４の拡大図に示すように、棒体取り付け時に雄型棒体支持金具３の上部側にワイヤー５が通じるように、下部がテーパー状に広がっているワイヤー挿入孔１９に挿通させてワイヤー先端部を加熱処理して広げ抜落防止を図っている。
【００１５】
図２に示すように、裏当て２０aの上部の裏面側には雄ホック２１が取り付けられる一方裏当て２０aの裏面側に重なるベルト通し止め２２aの先部の正面側には裏当て２０aに設けた雄ホック２１に嵌合係止及び離脱自在である雌ホック２２が取り付けられている。
【００１６】
雌型棒体支持金具保持具２４は図４、図６および図７に示すように横長の板状の金具基板１３ｂの中央部に正面側が凸状になるように、又その断面形容はU溝となる受軸部１４aが左右に方向に設けられ支軸部１３aをはさみ上側及び下側にそれぞれリベット用の挿通孔１0a、１1aが設けられている。
【００１７】
ワイヤー保持具１７と、棒体揺れ留め支持具１６とは同等に構成され共に雌型棒体支持金具保持具２４の仕様と同一であるが縦横寸法がともにより短く形成されている。
【００１８】
また、図２で示すように表当て６aと裏当て２０aとをあわせて固定している棒体揺れ止め保持金具１６の上方側のリベット１２から上側の表当てと裏当てとの間でベルト通し口2４aが形成される。表当て６aをベルト２５の表面に当て裏当て２０aをベルト２５の裏面に当ててベルト２５をベルト通し口２４aに通し、ベルト２５の裏面側ベルト通し止め２２aを裏当て２０aに重ね会わせ、裏当て２０aに取り付けられた雄ホック２１を、ベルト通し止め２２aに取り付けられた雌ホック２２に押し込んで嵌合係止させて、ベルト通し２３を装着させる。
【００１９】
次に警棒吊り１の作用について説明する。図５で示すように警棒２７を帯革体６へ保持固定させるには、図２に示すように、帯革体６をベルト２５に装着した状態において、帯革体６に設けられた雌型棒体支持金具１５及び棒体揺れ止め１６aとも下方に垂下回動しているがその状態において警棒２７の先端トップボール１８を２本のワイヤー５の間へ下方から挿通させるとともに、警棒２７の鍔２６付近を帯革体表面６aの雌型棒体保持具２４の上方へ当接して、ワイヤー５を鍔に押し当てながら、雄型棒体支持金具３の凸型嵌合部４を雌型棒体支持金具１５に挿入し図３の断面図に示すように凹型嵌合部１４で受け止め接合する。接合により警棒２７は雌型棒体支持金具１５で保持され、ワイヤーで帯革体６側に押圧されるため、帯革体６に当接固定される。
【００２０】
接合終了後棒体揺れ留め１６ａを上方に水平方向まで回動させ棒体を半固定するが、揺れ留めにあっては下方からさらに後方へ回動させ、前当てと後ろ当ての間に挟置させることが出来、後方へ回動させて置くことにより、警棒２７の抜き取りをよりスムーズに出来るもので、緊急取り出しの状態に応じて、あらかじめ変更が出来る。
【００２１】
図５に示す警棒２７を下方に抜き取るには、警棒の柄部を中指、薬指、小指で警棒の順手に掌握すると同時に、母指、示指先端部で鍔部下の雌型棒体支持金具の両側面に付している離脱用押し釦を母指、示指先端部で両側面から押圧することにより、ワイヤー先端部の雄型棒体支持金具３がその押圧で突飛するがごとく離放され、警棒２７は自然に掌中に入る。離脱用押し釦２からの母指、示指の離放により雌型棒体支持金具１５はそのまま下方に回動し、警棒２７は棒体支持部の接合部が離放した時点で下方に引き抜かれるが、２本のワイヤー間の間隙は広く又鍔前部２９は、約８センチと短くかつ鉄製の金属で滑らかであるため、先端部は抜通時に何ら支障無く下方に引き抜かれる。
【００２２】
又、図８に示すように警棒２７を帯革体に固定させ場合、警棒２７にはストラップ３０が付設しておることから、このストラップ３０先端に小型の根付け３１又は鰐口クリップを付属させ、これをベルト２５とズボン間に差し入れて置いたり、ベルト２５に鋏持させることにより、警棒２７取出し時の万が一の落下防止が図られ、さらに図のようにストラップ止め３０aを帯革体表側に向くように警棒２７を取付けると、ストラップがほとんど警棒２７の後部に隠れることから,警棒２７の奪取防止、ストラップのゆれ防止、引っかけ防止が図られるとともに、又外観上も体裁良く整うものである。
【００２３】
以上本考案は、警棒２７を下方に引き抜いてから構えるまでの一連の動作が弓形の弧を描く動作のみであり、警棒２７を伸長させるには、弧の遠心力を利用することから、物理的理論からしても下方に向けてから上方に向けての振り出しが、上方からの振り出しや、側方からの振り出しに比べ弧形が最小になるなど、無駄な動作が無くきわめて短時間の動作で構えることが出来るものである。
【産業上の利用可能性】
【００２４】
伸縮式警棒は主として司法公安職である警察官、刑務官、自衛官、海上保安庁等が使用しており、その他にも警備業務に従事の警備員、ガードマンの護身用等、自己防衛を必要としている業務等幅広く使用されている状態にある。
【図面の簡単な説明】
【００２５】
【図１】本考案の実施例に係る警棒吊りの正面図
【図２】本考案の実施例に係る警棒吊りの側面図
【図３】図５のＡ―Ａ線断面図
【図４】棒体支持金具取り付けの拡大図
【図５】警棒を取り付けた状態の側面図
【図６】棒体支持金具挟持金具１３の正面図
【図７】棒体支持金具挟持金具１３の側面図
【図８】警棒を取り付けた状態の正面図
【符号の説明】
【００２６】
１  警棒吊り
２  離放用釦
３  雄型棒体支持金具
４  雄型棒体支持金具凸型嵌合部
５  鍔押さえ用ワイヤー
６  帯革体
６a 表当て
７  上部折り返し部
８  リベット
９  リベット
10  リベット
11  リベット
12  リベット  
13  リベット
13a 雌型棒体支持金具支軸部
13b 受軸部基板
14  雌型棒体支持金具凹型嵌合部
14a 雌型棒体支持金具受軸部
15  雌型棒体支持金具
16  棒体揺れ留め保持具
16a 棒体揺れ留め
16b棒体揺れ留め保持部
17  ワイヤー保持具
18  トップボール
19  ワイヤー挿通孔
20  帯革体
20a 裏当て
21  雄型釦
21a 裏当て最上部 
22  雌型釦
22a ベルト通し留め
23  ベルト通し  
24  雌型棒体支持金具保持具  
24a ベルト通し口
25  ベルト
26  掌握部
27  警棒
28  鍔部
29  鍔前部
30  ストラップ
30aストラップ止め
31  根付け
【図１】
0003105017.tif 000003
【図２】
0003105017.tif 000004
【図３】
0003105017.tif 000005
【図４】
0003105017.tif 000006
【図５】
0003105017.tif 000007
【図６】
0003105017.tif 000008
【図７】
0003105017.tif 000009
【図８】
0003105017.tif 000010
【手続補正書】
【提出日】平成16年5月25日(2004.5.25)
【手続補正１】
【補正対象書類名】実用新案登録請求の範囲
【補正対象項目名】全文
【補正方法】変更
【補正の内容】
【実用新案登録請求の範囲】
【請求項１】
警棒の鍔部付近を嵌合係止自在の留め金具により、帯革体に保持・固定しておき、取出す際は鍔下部の雌型棒体支持金具の両側面にある離脱用押し釦を押圧することにより接合部の雄型棒体支持金具が抜出・離放され警棒が取り出せることを特徴とする緊急取り出し型警棒吊り。
【請求項２】
請求項１において、ワイヤー２本で警棒の鍔部を押さえ、ワイヤー先端の雄型棒体支持金具の凸部を鍔下部で帯革体に配設の雌型支持金具の凹部に嵌合させる事により、警棒を帯革体に保持・固定させる構造を具備していることを特徴とする緊急取り出し型警棒吊り。
【請求項３】
請求項１において、帯革体表面の下部に配設の棒体揺れ留めを、ほぼ水平に回動させ、棒体を半固定する構造を具備していることを特徴とする緊急取り出し型警棒吊り。
【請求項４】
請求項１において、ストラップを帯革体表側に向け取り付け、ストラップの先端に取り付けた根付け等をバンド等に挟持させることにより、警棒の奪取防止、取り出し時等の落下防止が図られる構造を具備している事を特徴とする緊急取り出し型警棒吊り。
【請求項５】
請求項１において、警棒を取り出す時、鍔下部の雌型棒体支持金具の両側面にある離脱用押し釦を押圧することにより、ワイヤー先端部の雄型棒体支持金具が抜出・離放され、指の一部を同釦から離すことにより、雌型棒体支持金具は下方に回動する構造を具備している事を特徴とする緊急取り出し型警棒吊り。
【手続補正２】
【補正対象書類名】明細書
【補正対象項目名】全文
【補正方法】変更
【補正の内容】
【考案の詳細な説明】
【技術分野】
【０００１】
本考案は、たとえば警棒を速やかに取出すための警棒吊りに関する。
【背景技術】
【０００２】
以下鍔付伸縮式警棒を警棒と略して説明するが、警棒は使用目的からすれば警棒を警棒受け等に確実に固定するとともに、緊急取出し時には速やかに取り出せなければならないという条件が必要であり、現状は警棒を筒状もしくは、皮製の台に取り付けられたリング状の輪の中に差し込み、これをバンド等に止め携帯している。（たとえば特許文献特開平８−４２９９７号参照。）。
特許文献特開平８−４２９９７号の製品は、警棒を皮製の台に取り付けられたリング状の輪の中に差し込み、これをベルト、帯革等に装着して使用している状態である。
【特許文献１】特開平８−４２９９７号  公報
【考案の開示】
【考案が解決しようとする課題】
【０００３】
緊急に警棒を使用しなければならない場合において、たとえば、特許文献特開平８−４２９９７号のリング式警棒吊り、又は上方からの出し入れの警棒吊りにあっては警棒を取出す場合、同文献に記載の補助ベルトと記述の警棒の脱落防止装置を外してその後、警棒吊りの上方から警棒を取出し警棒を完全に伸ばした後、暴漢等の違法行為者に対して構えなければならないためその間の諸動作には、取り出しの際両手を使ったり、取出した警棒を持ち替えたり、警棒を伸ばすなどと手間取る。又、上衣を着ている場合等は上衣を持ち上げながらの動作となることから更に手間取り、緊急時において迅速な取出しが出来ない状態である。
【０００４】
さらにリング式の警棒吊りにあっては、緊急取出しを行なったとき、警棒の把持部がゴム製の滑り止め仕様が故にリングとの間に高摩擦を生じ、プラスチック製リング保持金具、ビニール製リング抜け止め帯革を強引に押し広げてリングを上方に回動させるため、抜こうとした警棒は、斜め上方に回動したリングでロック状態となり、全く抜けなくなる。また先の緊急取り出しに固守せず通常の取扱いにおいても、長期の使用や携行により帯革体本体が軟弱となったり、リング保持部周辺が摩耗、伸緩を生じることから、容易にリングが上方へ回動するなどし、取出しを困難とせしめる要因が多々発生している。
【課題を解決するための手段】
【０００５】
本考案は、警棒を警棒本来の使用目的からして、警棒受けに確実に固定させると共に、かつ緊急時には速やかな取出しが可能で、更には取出し後から警棒を構えるまでの動作をも考慮し、その所要時間を大幅に短縮すべくとの基本的見地からの発案により、基本的には警棒の鍔下部を、嵌合係止自在の留め金具で保持固定するもので、帯革体表面上部からの以下ワイヤーと略して説明の化学繊維製強化ワイヤー２本で警棒の鍔部を押さえ、同ワイヤー先端に配設の雄型棒体支持金具の凸型嵌合部を、帯革体表面中部に配設の雌型支持金具の凹型嵌合部に挿入接合し、警棒を帯革体に保持固定すると共に、帯革体表面の下部に配設の上下に回動する棒体揺れ留めを、ほぼ水平に回動させ棒体を半固定する構造で、警棒の確実な保持固定と、留め金具を外す事により警棒を下方に向けて速やかに取出せることを特徴とする。
【考案の効果】
【０００６】
本考案は、警棒を警棒本来の使用目的からして、取り出し後から警棒を構えるまでの動作をも考慮し、その総合所要時間を大幅に短縮できるもので、警棒の鍔部下部を保持する、嵌合係止自在、離脱押し釦式留め金具の雌型棒体支持金具支軸を挿通させた保持具を、帯
革体表面の中央部よりやや上方に配設、棒体の鍔部分を雌型棒体支持金具に保持させると共に帯革体表面の上方に配設の鍔押さえ用ワイヤー保持具に同ワイヤー中央部を保持させ、その先端に雄型棒体支持金具が配設された鍵型の雄型棒体支持金具凸型部を雌型棒体支持金具凹型嵌合部に接合し棒体の保持をすると共に警棒を帯革体表面に固定する。帯革体表面の下方に配設の棒体揺れ留め保持具に保持部を支点として上下に回動する棒体揺れ留めの中央部を保持させ、棒体揺れ留めを上方に回動させ棒体を半固定する。警棒を抜き取るには、警棒の下方から中指、薬指、小指で警棒の柄部を順手に握ると同時に母指、示指先端部で鍔下の雌型棒体支持金具の両側面に付している離脱用押し釦を両側面から押圧することにより、ワイヤー先端部の雄型棒体支持金具が突飛するがごとく離放され、又接合解離釦を押圧した肢指の離放により雌型棒体支持金具はそのまま下方に回動する。警棒は棒体支持部の接合部が離放した時点で下方に引き抜くが、２本のワイヤー間の間隙は広く又警棒の先端部は、約８センチと短くかつ鉄製の金属で滑らかであるため、鍔前部は抜通時に何ら支障無く下方に引き抜け、警棒が抜けると同時に雄型棒体支持金具凸型嵌合部も鍔押さえ用ワイヤー保持部を支点に下方に回動する。警棒付属のストラップはその先端に小型の根付け、鰐口クリップ等を付属させ、これをベルトとズボン間に差し鋏んだり、ベルトに鋏むことにより、警棒取出し時の万が一の落下防止となり、さらにストラップ止めを帯革体表側に向くように警棒を取付けることにより、ストラップがほとんど隠れ警棒の奪取防止、ストラップのゆれ防止、引っかけ防止等が図られるとともに、又外観上も体裁良く整うものである。
【考案を実施するための最良の形態】
【０００７】
本考案の警棒吊りから警棒を取出し構える間での動作は、警棒入れを左腰に装着している場合、まず右手で警棒の下方から中指、薬指、小指で警棒の柄部を順手に掌握すると同時に、母指、示指先端部で鍔部下の雌型棒体支持金具の両側面に付している離脱用押し釦を両側面から押圧することにより、ワイヤー先端部の雄型棒体支持金具が抜出離放され、又接合解離釦から母指、示指を離すことにより、雌型棒体支持金具はそのまま下方に回動する。帯革体の表面下方に配設の棒体揺れ止めも棒体を掌握すると同時に棒体から離放し下方に回動する。
【０００８】
棒体支持部の接合部が離放すれば、警棒は自然に掌中に入り、順手で掌握した警棒をそのまま下方に引き抜くのであるが、接合部が離放した時点では警棒の鍔前部は依然２本のワイヤー間に存在するが、ワイヤーは柔軟性がある上、ワイヤーと警棒間の間隙は十分にあり、又警棒の先端部は約８センチと短く、かつ鉄製の金属で滑らかであるため、鍔前部は抜通時に何ら障害を受けず下方に引き抜くことができ、警棒が抜けると同時にワイヤー及びワイヤーに配設の雄型棒体支持金具もワイヤー保持具を支点に下方に回動する。
【０００９】
警棒を掴んで構えるまでの動作は、警棒先端部分の軌道は最初下方に向かい、その後上方へと弧を描くことから、最小の弧形で警棒先端部分は重力と遠心力の作用により伸長して最長サイズとなり、引き抜きから構えまでが一挙動で終了する。
【実施例】
【００１０】
以下本考案の実施例を図面を参照して説明する。図１は本考案の警棒吊り１を示す正面図であり、図２は警棒吊り１の側面図である。警棒吊り１は、警棒吊り１の本体を兼ねたベルト通し２３を備え、ベルト通し２３の正面側には上部から下部にかけて３段の、上部から鍔押さえ用のワイヤー保持具１７、中部には雌型棒体支持金具保持具２４、下部には棒体振れ留め保持具１６が取り付けられると共に、ワイヤー保持具１７にはワイヤー５、雌型棒体支持金具保持具２４には雌型棒体支持金具１５、棒体揺れ留め保持具１６には表面がゴム製の棒体揺れ止め１６aがそれぞれその１部を支持されている。ワイヤー保持具１７の保持部から伸長する２本のワイヤー５の先端には雄型棒体支持金具３が取り付けられている。
【００１１】
ベルト通し２３は、図２に示すように、縦方向に長尺の帯革体６の上端を下方に向けて上部よりを裏面側に折り返されて上部折り返し部７が形成され、上部折り返し部７と帯革体最下部１９aの間によって表当て６aが形成される。帯革体最下部１９a と同位置の裏面側１８aから最上部２１aの間でベルト通し２３と同質材の帯革体２０により裏当て２０aが形成されており、裏当て２０aの上部の裏面側に重なるように帯革体６の上部折り返し７よりも裏面側がベルト通し止め２２aに形成されている
【００１２】
帯革体６正面側下部には、棒体揺れ止め保持具１６が、保持部１６bを支点に上下に回動する棒体揺れ止め１６aの一部を挟み配設されている。
【００１３】
帯革体６正面側中部上方寄りには、雌型棒体支持金具保持具２４が同受軸部１４aを支点に上下に回動する雌型棒体支持金具１５の支軸部１３aを挟み配設されている。
【００１４】
帯革体６正面側上部には、ワイヤー保持具１７がワイヤー５を挟み配設されると共に、
ワイヤー先端部は図３、図４の拡大図に示すように、棒体取り付け時に雄型棒体支持金具３の上部側にワイヤー５が通じるように、下部がテーパー状に広がっているワイヤー挿入孔１９に挿通させてワイヤー先端部を加熱処理して広げ固定し抜落防止を図っている。
【００１５】
図２に示すように、裏当て２０aの上部の裏面側には雄ホック２１が取り付けられる一方裏当て２０aの裏面側に重なるベルト通し止め２２aの先部の正面側には裏当て２０aに設けた雄ホック２１に嵌合係止及び離脱自在である雌ホック２２が取り付けられている。
【００１６】
雌型棒体支持金具保持具２４は図４、図６および図７に示すように横長の板状の金具基板１３ｂの中央部に正面側が凸状になるように、又その断面形容はU溝となる受軸部１４aが左右に方向に設けられ支軸部１３aをはさみ上側及び下側にそれぞれリベット用の挿通孔１0a、１1aが設けられている。
【００１７】
ワイヤー保持具１７と、棒体揺れ留め支持具１６とは図１に示すようにほぼ同等に構成され共に雌型棒体支持金具保持具２４の仕様と同一に形成されている。
【００１８】
また、図２で示すように表当て６aと裏当て２０aとをあわせて固定している棒体揺れ止め保持金具１６の上方側のリベット１２から上側の表当てと裏当てとの間でベルト通し口2４aが形成される。表当て６aをベルト２５の表面に当て裏当て２０aをベルト２５の裏面に当ててベルト２５をベルト通し口２４aに通し、ベルト２５の裏面側ベルト通し止め２２aを裏当て２０aに重ね会わせ、裏当て２０aに取り付けられた雄ホック２１を、ベルト通し止め２２aに取り付けられた雌ホック２２に押し込んで嵌合係止させて、ベルト通し２３を装着させる。
【００１９】
次に警棒吊り１の作用について説明する。図５で示すように警棒２７を帯革体６へ保持固定させるには、図２に示すように、帯革体６をベルト２５に装着した状態において、帯革体６に設けられた雌型棒体支持金具１５及び棒体揺れ止め１６aとも下方に垂下回動しているがその状態において警棒２７の先端トップボール１８を２本のワイヤー５の間へ下方から挿通させるとともに、警棒２７の鍔２８付近を帯革体表面６aの雌型棒体保持具２４の上方へ当接して、ワイヤー５を鍔に押し当てながら、雄型棒体支持金具３の凸型嵌合部４を雌型棒体支持金具１５に挿入し、図３の断面図に示すように凹型嵌合部１４で受け止め接合する。接合により警棒２７は雌型棒体支持金具１５で保持され、さらにワイヤーで帯革体６側に押圧されるため、帯革体６に当接固定される。
【００２０】
接合終了後棒体揺れ留め１６ａを上方に水平方向まで回動させ棒体を半固定するが、揺れ留めにあっては下方からさらに後方へ回動させ、前当てと後ろ当ての間に挟置させることができ、後方へ回動させて置くことにより、警棒２７の抜き取りをよりスムーズに出来るもので、緊急取り出しの状態に応じて、あらかじめ変更が出来る。
【００２１】
図５に示す警棒２７を下方に抜き取るには、警棒の柄部を中指、薬指、小指で警棒の順手に掌握すると同時に、母指、示指先端部で鍔部下の雌型棒体支持金具１５の両側面に付している滑り止め付き離放用押し釦２を母指、示指先端部で両側面から押圧することにより、ワイヤー先端部の雄型棒体支持金具３がその押圧で突飛するがごとく離放され、警棒２７は自然に掌中に入る。離脱用押し釦２からの母指、示指の離放により雌型棒体支持金具１５はそのまま下方に回動し、警棒２７は棒体支持部の接合部が離放した時点で下方に引き抜かれるが、２本のワイヤー間の間隙は広く又鍔前部２９は、約８センチと短くかつ鉄製の金属で滑らかであるため、先端部は抜通時に何ら支障無く下方に引き抜かれる。
【００２２】
又、図８に示すように警棒２７を帯革体に固定させる場合、警棒２７にはストラップ３０が付設していることから、このストラップ３０先端に小型の根付け３１又は鰐口クリップ等を付属させ、これをベルト２５とズボン間に差し入れて狭持させることにより、警棒２７取出し時の万が一の落下防止が図られ、さらに図のようにストラップ止め３０aを帯革体表側に向くように警棒２７を取付けると、ストラップがほとんど警棒２７の後部に隠れることから,警棒２７の奪取防止、ストラップのゆれ防止、引っかけ防止が図られるとともに、又外観上も体裁良く整うものである。
【００２３】
以上本考案は、警棒２７を下方に引き抜いてから構えるまでの一連の動作が弓形の弧を描く動作のみであり、警棒２７を伸長させるには、弧の遠心力を利用することから、物理的理論からしても下方に向けてから上方に向けての振り出しが、上方からの振り出しや、側方からの振り出しに比べ弧形が最小になるなど、無駄な動作が無くきわめて短時間の動作で構えることが出来るものである。
【産業上の利用可能性】
【００２４】
伸縮式警棒は主として司法公安職である警察官、刑務官、自衛官、海上保安庁職員等が使用しており、その他にも警備業務に従事の警備員、ガードマンの護身用等、自己防衛を必要としている業務等幅広く使用されている状態にある。
【図面の簡単な説明】
【００２５】
【図１】本考案の実施例に係る警棒吊りの正面図
【図２】本考案の実施例に係る警棒吊りの側面図
【図３】図５のＡ―Ａ線断面図
【図４】棒体支持金具取り付けの拡大図
【図５】警棒を取り付けた状態の側面図
【図６】棒体支持金具挟持金具１３の正面図
【図７】棒体支持金具挟持金具１３の側面図
【図８】警棒を取り付けた状態の正面図
【符号の説明】
【００２６】
１  警棒吊り
２  離放用釦
３  雄型棒体支持金具
４  雄型棒体支持金具凸型嵌合部
５  鍔押さえ用ワイヤー
６  帯革体
６a 表当て
７  上部折り返し部
８  リベット
９  リベット
10  リベット
11  リベット
12  リベット  
13  リベット
13a 雌型棒体支持金具支軸部
13b 受軸部基板
14  雌型棒体支持金具凹型嵌合部
14a 雌型棒体支持金具受軸部
15  雌型棒体支持金具
16  棒体揺れ留め保持具
16a 棒体揺れ留め
16b 棒体揺れ留め保持部
17  ワイヤー保持具
18  トップボール
19  ワイヤー挿通孔
20  帯革体
20a 裏当て
21  雄型釦
21a 裏当て最上部 
22  雌型釦
22a ベルト通し留め
23  ベルト通し  
24  雌型棒体支持金具保持具  
24a ベルト通し口
25  ベルト
26  掌握部
27  警棒
28  鍔部
29  鍔前部
30  ストラップ
30a ストラップ止め
31  根付け等
【手続補正３】
【補正対象書類名】図面
【補正対象項目名】全図
【補正方法】変更
【補正の内容】
【図１】
0003105017.tif 000011
【図２】
0003105017.tif 000012
【図３】
0003105017.tif 000013
【図４】
0003105017.tif 000014
【図５】
0003105017.tif 000015
【図６】
0003105017.tif 000016
【図７】
0003105017.tif 000017
【図８】
0003105017.tif 000018
【手続補正書】
【提出日】平成16年6月1日(2004.6.1)
【手続補正１】
【補正対象書類名】明細書
【補正対象項目名】全文
【補正方法】変更
【補正の内容】
【考案の詳細な説明】
【技術分野】
【０００１】
本考案は、たとえば警棒を速やかに取出すための警棒吊りに関する。
【背景技術】
【０００２】
以下鍔付伸縮式警棒を警棒と略して説明するが、警棒は使用目的からすれば警棒を警棒受け等に確実に固定するとともに、緊急取出し時には速やかに取り出せなければならないという条件が必要であり、現状は警棒を筒状もしくは、皮製の台に取り付けられたリング状の輪の中に差し込み、これをバンド等に止め携帯している。（たとえば特許文献特開平８−４２９９７号参照。）。
特許文献特開平８−４２９９７号の製品は、警棒を皮製の台に取り付けられたリング状の輪の中に差し込み、これをベルト、帯革等に装着して使用している状態である。
【特許文献１】特開平８−４２９９７号  公報
【考案の開示】
【考案が解決しようとする課題】
【０００３】
緊急に警棒を使用しなければならない場合において、たとえば、特許文献特開平８−４２９９７号のリング式警棒吊り、又は上方からの出し入れの警棒吊りにあっては警棒を取出す場合、同文献に記載の補助ベルトと記述の警棒の脱落防止装置を外してその後、警棒吊りの上方から警棒を取出し警棒を完全に伸ばした後、暴漢等の違法行為者に対して構えなければならないためその間の諸動作には、取り出しの際両手を使ったり、取出した警棒を持ち替えたり、警棒を伸ばすなどと手間取る。又、上衣を着ている場合等は上衣を持ち上げながらの動作となることから更に手間取り、緊急時において迅速な取出しが出来ない状態である。
【０００４】
さらにリング式の警棒吊りにあっては、緊急取出しを行なったとき、警棒の把持部がゴム製の滑り止め仕様が故にリングとの間に高摩擦を生じ、ビニール製リング抜け止め帯革を強引に押し広げてリングを上方に回動させるため、抜こうとした警棒は、斜め上方に回動したリングでロック状態となり、全く抜けなくなる。また先の緊急取り出しに固守せず通常の取扱いにおいても、長期の使用や携行により帯革体本体が軟弱となったり、リング保持部周辺が摩耗、伸緩を生じることから、容易にリングが上方へ回動するなどし、取出しを困難とせしめる要因が多々発生している。
【課題を解決するための手段】
【０００５】
本考案は、警棒を警棒本来の使用目的からして、警棒受けに確実に固定させると共に、かつ緊急時には速やかな取出しが可能で、更には取出し後から警棒を構えるまでの動作をも考慮し、その所要時間を大幅に短縮すべくとの基本的見地からの発案により、基本的には警棒の鍔下部を、嵌合係止自在の留め金具で保持固定するもので、帯革体表面上部からの以下ワイヤーと略して説明の化学繊維製強化ワイヤー２本で警棒の鍔部を押さえ、同ワイヤー先端に配設の雄型棒体支持金具の凸型嵌合部を、帯革体表面中部に配設の雌型支持金具の凹型嵌合部に挿入接合し、警棒を帯革体に保持固定すると共に、帯革体表面の下部に配設の上下に回動する棒体揺れ留めを、ほぼ水平に回動させ棒体を半固定する構造で、警棒の確実な保持固定と、留め金具を外す事により警棒を下方に向けて速やかに取出せることを特徴とする。
【考案の効果】
【０００６】
本考案は、警棒を警棒本来の使用目的からして、取り出し後から警棒を構えるまでの動作をも考慮し、その総合所要時間を大幅に短縮できるもので、警棒の鍔部下部を保持する、嵌合係止自在、離脱押し釦式留め金具の雌型棒体支持金具支軸を挿通させた保持具を、帯
革体表面の中央部よりやや上方に配設、棒体の鍔部分を雌型棒体支持金具に保持させると共に帯革体表面の上方に配設の鍔押さえ用ワイヤー保持具に同ワイヤー中央部を保持させ、その先端に雄型棒体支持金具が配設された鍵型の雄型棒体支持金具凸型部を雌型棒体支持金具凹型嵌合部に接合し棒体の保持をすると共に警棒を帯革体表面に固定する。帯革体表面の下方に配設の棒体揺れ留め保持具に保持部を支点として上下に回動する棒体揺れ留めの中央部を保持させ、棒体揺れ留めを上方に回動させ棒体を半固定する。警棒を抜き取るには、警棒の下方から中指、薬指、小指で警棒の柄部を順手に握ると同時に母指、示指先端部で鍔下の雌型棒体支持金具の両側面に付している離脱用押し釦を両側面から押圧することにより、ワイヤー先端部の雄型棒体支持金具が突飛するがごとく離放され、又接合解離釦を押圧した肢指の離放により雌型棒体支持金具はそのまま下方に回動する。警棒は棒体支持部の接合部が離放した時点で下方に引き抜くが、２本のワイヤー間の間隙は広く又警棒の先端部は、約８センチと短くかつ鉄製の金属で滑らかであるため、鍔前部は抜通時に何ら支障無く下方に引き抜け、警棒が抜けると同時に雄型棒体支持金具凸型嵌合部も鍔押さえ用ワイヤー保持部を支点に下方に回動する。警棒付属のストラップはその先端に小型の根付け、鰐口クリップ等を付属させ、これをベルトとズボン間に差し挟んだり、ベルトに挟むことにより、警棒取出し時の万が一の落下防止となり、さらにストラップ止めを帯革体表側に向くように警棒を取付けることにより、ストラップがほとんど隠れ警棒の奪取防止、ストラップのゆれ防止、引っかけ防止等が図られるとともに、又外観上も体裁良く整うものである。
【考案を実施するための最良の形態】
【０００７】
本考案の警棒吊りから警棒を取出し構える間での動作は、警棒入れを左腰に装着している場合、まず右手で警棒の下方から中指、薬指、小指で警棒の柄部を順手に掌握すると同時に、母指、示指先端部で鍔部下の雌型棒体支持金具の両側面に付している離脱用押し釦を両側面から押圧することにより、ワイヤー先端部の雄型棒体支持金具が抜出離放され、又接合解離釦から母指、示指を離すことにより、雌型棒体支持金具はそのまま下方に回動する。帯革体の表面下方に配設の棒体揺れ止めも棒体を掌握すると同時に棒体から離放し下方に回動する。
【０００８】
棒体支持部の接合部が離放すれば、警棒は自然に掌中に入り、順手で掌握した警棒をそのまま下方に引き抜くのであるが、接合部が離放した時点では警棒の鍔前部は依然２本のワイヤー間に存在するが、ワイヤーは柔軟性がある上、ワイヤーと警棒間の間隙は十分にあり、又警棒の先端部は約８センチと短く、かつ鉄製の金属で滑らかであるため、鍔前部は抜通時に何ら障害を受けず下方に引き抜くことができ、警棒が抜けると同時にワイヤー及びワイヤーに配設の雄型棒体支持金具もワイヤー保持具を支点に下方に回動する。
【０００９】
警棒を掴んで構えるまでの動作は、警棒先端部分の軌道は最初下方に向かい、その後上方へと弧を描くことから、最小の弧形で警棒先端部分は重力と遠心力の作用により伸長して最長サイズとなり、引き抜きから構えまでが一挙動で終了する。
【実施例】
【００１０】
以下本考案の実施例を図面を参照して説明する。図１は本考案の警棒吊り１を示す正面図であり、図２は警棒吊り１の側面図である。警棒吊り１は、警棒吊り１の本体を兼ねたベルト通し２３を備え、ベルト通し２３の正面側には上部から下部にかけて３段の、上部から鍔押さえ用のワイヤー保持具１７、中部には雌型棒体支持金具保持具２４、下部には棒体振れ留め保持具１６が取り付けられると共に、ワイヤー保持具１７にはワイヤー５、雌型棒体支持金具保持具２４には雌型棒体支持金具１５、棒体揺れ留め保持具１６には表面がゴム製の棒体揺れ止め１６aがそれぞれその１部を支持されている。ワイヤー保持具１７の保持部から伸長する２本のワイヤー５の先端には雄型棒体支持金具３が取り付けられている。
【００１１】
ベルト通し２３は、図２に示すように、縦方向に長尺の帯革体６の上端を下方に向けて上部よりを裏面側に折り返されて上部折り返し部７が形成され、上部折り返し部７と帯革体最下部１９aの間によって表当て６aが形成される。帯革体最下部１９a と同位置の裏面側１８aから最上部２１aの間でベルト通し２３と同質材の帯革体２０により裏当て２０aが形成されており、裏当て２０aの上部の裏面側に重なるように帯革体６の上部折り返し７よりも裏面側がベルト通し止め２２aに形成されている
【００１２】
帯革体６正面側下部には、棒体揺れ止め保持具１６が、保持部１６bを支点に上下に回動する棒体揺れ止め１６aの一部を挟み配設されている。
【００１３】
帯革体６正面側中部上方寄りには、雌型棒体支持金具保持具２４が同受軸部１４aを支点に上下に回動する雌型棒体支持金具１５の支軸部１３aを挟み配設されている。
【００１４】
帯革体６正面側上部には、ワイヤー保持具１７がワイヤー５を挟み配設されると共に、
ワイヤー先端部は図３、図４の拡大図に示すように、棒体取り付け時に雄型棒体支持金具３の上部側にワイヤー５が通じるように、下部がテーパー状に広がっているワイヤー挿入孔１９に挿通させてワイヤー先端部を加熱処理して広げ固定し抜落防止を図っている。
【００１５】
図２に示すように、裏当て２０aの上部の裏面側には雄ホック２１が取り付けられる一方裏当て２０aの裏面側に重なるベルト通し止め２２aの先部の正面側には裏当て２０aに設けた雄ホック２１に嵌合係止及び離脱自在である雌ホック２２が取り付けられている。
【００１６】
雌型棒体支持金具保持具２４は図４、図６および図７に示すように横長の板状の金具基板１３ｂの中央部に正面側が凸状になるように、又その断面形容はU溝となる受軸部１４aが左右に方向に設けられ支軸部１３aをはさみ上側及び下側にそれぞれリベット用の挿通孔１0a、１1aが設けられている。
【００１７】
ワイヤー保持具１７と、棒体揺れ留め支持具１６とは図１に示すようにほぼ同等に構成され共に雌型棒体支持金具保持具２４の仕様と同一に形成されている。
【００１８】
また、図２で示すように表当て６aと裏当て２０aとをあわせて固定している棒体揺れ止め保持金具１６の上方側のリベット１２から上側の表当てと裏当てとの間でベルト通し口2４aが形成される。表当て６aをベルト２５の表面に当て裏当て２０aをベルト２５の裏面に当ててベルト２５をベルト通し口２４aに通し、ベルト２５の裏面側ベルト通し止め２２aを裏当て２０aに重ね会わせ、裏当て２０aに取り付けられた雄ホック２１を、ベルト通し止め２２aに取り付けられた雌ホック２２に押し込んで嵌合係止させて、ベルト通し２３を装着させる。
【００１９】
次に警棒吊り１の作用について説明する。図５で示すように警棒２７を帯革体６へ保持固定させるには、図２に示すように、帯革体６をベルト２５に装着した状態において、帯革体６に設けられた雌型棒体支持金具１５及び棒体揺れ止め１６aとも下方に垂下回動しているがその状態において警棒２７の先端トップボール１８を２本のワイヤー５の間へ下方から挿通させるとともに、警棒２７の鍔２８付近を帯革体表面６aの雌型棒体保持具２４の上方へ当接して、ワイヤー５を鍔に押し当てながら、雄型棒体支持金具３の凸型嵌合部４を雌型棒体支持金具１５に挿入し、図３の断面図に示すように凹型嵌合部１４で受け止め接合する。接合により警棒２７は雌型棒体支持金具１５で保持され、さらにワイヤーで帯革体６側に押圧されるため、帯革体６に当接固定される。
【００２０】
接合終了後棒体揺れ留め１６ａを上方に水平方向まで回動させ棒体を半固定するが、揺れ留めにあっては下方からさらに後方へ回動させ、前当てと後ろ当ての間に挟置させることができ、後方へ回動させて置くことにより、警棒２７の抜き取りをよりスムーズに出来るもので、緊急取り出しの状態に応じて、あらかじめ変更が出来る。
【００２１】
図５に示す警棒２７を下方に抜き取るには、警棒の柄部を中指、薬指、小指で警棒の順手に掌握すると同時に、母指、示指先端部で鍔部下の雌型棒体支持金具１５の両側面に付している滑り止め付き離放用押し釦２を母指、示指先端部で両側面から押圧することにより、ワイヤー先端部の雄型棒体支持金具３がその押圧で突飛するがごとく離放され、警棒２７は自然に掌中に入る。離脱用押し釦２からの母指、示指の離放により雌型棒体支持金具１５はそのまま下方に回動し、警棒２７は棒体支持部の接合部が離放した時点で下方に引き抜かれるが、２本のワイヤー間の間隙は広く又鍔前部２９は、約８センチと短くかつ鉄製の金属で滑らかであるため、先端部は抜通時に何ら支障無く下方に引き抜かれる。
【００２２】
又、図８に示すように警棒２７を帯革体に固定させる場合、警棒２７にはストラップ３０が付設していることから、このストラップ３０先端に小型の根付け３１又は鰐口クリップ等を付属させ、これをベルト２５とズボン間に差し入れて狭持させることにより、警棒２７取出し時の万が一の落下防止が図られ、さらに図のようにストラップ止め３０aを帯革体表側に向くように警棒２７を取付けると、ストラップがほとんど警棒２７の後部に隠れることから,警棒２７の奪取防止、ストラップのゆれ防止、引っかけ防止が図られるとともに、又外観上も体裁良く整うものである。
【００２３】
以上本考案は、警棒２７を下方に引き抜いてから構えるまでの一連の動作が弓形の弧を描く動作のみであり、警棒２７を伸長させるには、弧の遠心力を利用することから、物理的理論からしても下方に向けてから上方に向けての振り出しが、上方からの振り出しや、側方からの振り出しに比べ弧形が最小になるなど、無駄な動作が無くきわめて短時間の動作で構えることが出来るものである。
【産業上の利用可能性】
【００２４】
伸縮式警棒は主として司法公安職である警察官、刑務官、自衛官、海上保安庁職員等が使用しており、その他にも警備業務に従事の警備員、ガードマンの護身用等、自己防衛を必要としている業務等幅広く使用されている状態にある。
【図面の簡単な説明】
【００２５】
【図１】本考案の実施例に係る警棒吊りの正面図
【図２】本考案の実施例に係る警棒吊りの側面図
【図３】図５のＡ―Ａ線断面図
【図４】棒体支持金具取り付けの拡大図
【図５】警棒を取り付けた状態の側面図
【図６】棒体支持金具挟持金具１３の正面図
【図７】棒体支持金具挟持金具１３の側面図
【図８】警棒を取り付けた状態の正面図
【符号の説明】
【００２６】
１  警棒吊り
２  離放用釦
３  雄型棒体支持金具
４  雄型棒体支持金具凸型嵌合部
５  鍔押さえ用ワイヤー
６  帯革体
６a 表当て
７  上部折り返し部
８  リベット
９  リベット
10  リベット
11  リベット
12  リベット  
13  リベット
13a 雌型棒体支持金具支軸部
13b 受軸部基板
14  雌型棒体支持金具凹型嵌合部
14a 雌型棒体支持金具受軸部
15  雌型棒体支持金具
16  棒体揺れ留め保持具
16a 棒体揺れ留め
16b 棒体揺れ留め保持部
17  ワイヤー保持具
18  トップボール
19  ワイヤー挿通孔
20  帯革体
20a 裏当て
21  雄型釦
21a 裏当て最上部 
22  雌型釦
22a ベルト通し留め
23  ベルト通し  
24  雌型棒体支持金具保持具  
24a ベルト通し口
25  ベルト
26  掌握部
27  警棒
28  鍔部
29  鍔前部
30  ストラップ
30a ストラップ止め
31  根付け等
【手続補正書】
【提出日】平成16年6月30日(2004.6.30)
【手続補正１】
【補正対象書類名】実用新案登録請求の範囲
【補正対象項目名】全文
【補正方法】変更
【補正の内容】
【実用新案登録請求の範囲】
【請求項１】
トップボールを上方に向け保持する警棒吊りにあって、ベルト通しの上方に上下に回動するワイヤー２本を配設し、同ワイヤー先端部にＵ字型先端のそれぞれが対となるくさび型の爪部を設けた凸型嵌合部と、その下方の帯革体に同凸型嵌合部を受け入れるための、Ｕ字型先端に設けられた対の爪部間の最大幅よりも狭隘な幅のＵ型の受け入れ部を設けた凹型嵌合部を配設し、さらに棒体を半固定するため、凹型嵌合部下方の帯革体に上下に回動する半割れリングを設け、対の爪部を凹型嵌合部の内面に当接させながら挿入、合致させたとき爪部の復元力により爪部を爪受け部で受止め接合固定し、凸型嵌合部のＵ型部分と凹型嵌合部とＵ型部分との間で棒体を固持するための、ほぼ円形の空間が形成される構造を具備していることを特徴とする緊急取り出し型警棒吊り。
【請求項２】
請求項１において、ワイヤー２本で警棒の鍔部を押さえ、ワイヤー先端の雄型棒体支持金具のＵ型の爪部を鍔下部で帯革体に配設の雌型支持金具の凹部に嵌合させる事により、警棒を帯革体に保持・固定させる構造を具備していることを特徴とする緊急取り出し型警棒吊り。
【請求項３】
請求項１において、帯革体表面の下部に配設の棒体揺れ留めを、ほぼ水平に回動させ、リング状の揺れ留め内に棒体を半固定する構造を具備していることを特徴とする緊急取り出し型警棒吊り。
【請求項４】
請求項１において、ストラップを帯革体表側に向け取り付け、ストラップの先端に取り付けた根付け等をバンド等に挟持させることにより、警棒の奪取防止、不用意な落下防止が図られる構造を具備していることを特徴とする緊急取り出し型警棒吊り。
【請求項５】
請求項１において、鍔下部の雌型棒体支持金具の両側面から爪部を押圧し爪受け部との接合を外すことにより、ワイヤー先端部の雄型棒体支持金具が抜出・離放され、雌型棒体支持金具は下方に回動し、警棒の取り出し操作が片手で出来る構造を具備していることを特徴とする緊急取り出し型警棒吊り。
【手続補正書】
【提出日】平成16年6月30日(2004.6.30)
【手続補正１】
【補正対象書類名】明細書
【補正対象項目名】全文
【補正方法】変更
【補正の内容】
【考案の詳細な説明】
【技術分野】
【０００１】
本考案は、たとえば警棒を速やかに取出すための警棒吊りに関する。
【背景技術】
【０００２】
以下鍔付伸縮式警棒を警棒と略して説明するが、警棒は使用目的からすれば警棒を警棒受け等に確実に固定するとともに、緊急取出し時には速やかに取り出せなければならないという条件が必要であり、現状は警棒を筒状もしくは、リング状の輪の中に差し込み、これをバンド等に止め携帯している。（たとえば特許文献特開平８−４２９９７号参照。）。
特許文献特開平８−４２９９７号の製品は、警棒を皮製の台に取り付けられたリング状の輪の中に差し込み、これをベルト、帯革等に装着して使用している状態である。
【特許文献１】特開平８−４２９９７号  公報
【考案の開示】
【考案が解決しようとする課題】
【０００３】
緊急に警棒を使用しなければならない場合において、たとえば、特許文献特開平８−４２９９７号のリング式警棒吊り、又は筒状の警棒吊りにあっては警棒を取出す場合、警棒吊りの上方から警棒を取出し警棒を完全に伸ばした後、暴漢等の違法行為者に対して構えなければならないためその間の動作には、同文献に記載の補助ベルトと記述の警棒の脱落防止装置を外したり、取出した警棒を持ち替えたり、警棒を伸ばすなどと手間どり、また上衣を着ている場合等は上衣を持ち上げながらの動作となることから両手を使用しても、緊急時において迅速な取出しが出来ない状態である。
【０００４】
さらに同リング式の警棒吊りにあっては、警棒の把持部がリングと必然的に当接しており、また把持部がゴム製の滑り止め仕様になっているため、警棒の取出し時において、把持部とリングの間に高摩擦を生じ、リングを水平状態で維持できず強引に上方に回動させるため、抜こうとした警棒は、上方に回動したリングで挟持、ロックされた状態となり、急速に抜こうとするほどロック状態となるなど、抜き取りが困難となっているため、これら抜き取りにおける困難要因をすべて解消し、片手で簡単、かつ迅速な取り出しのできる警棒吊り実現を目的とするものである。
【課題を解決するための手段】
【０００５】
基本的には警棒の鍔下部を、保持固定するもので、帯革体表面上部からの以下ワイヤーと略して説明の、化学繊維製強化ワイヤー２本と雄型棒体支持金具の間に警棒の鍔前部を挿通させ、同ワイヤーで上方から鍔部を押さえつつ、同ワイヤー先端に配設の雄型棒体支持金具の凸型嵌合部を、帯革体表面中部に配設の雌型支持金具の凹型嵌合部に挿入し、爪部を爪受け部で合致接合させることにより、凸型嵌合部のＵ型部と凹型嵌合部のＵ型部で作られた、ほぼ円形の空間で鍔下部を挟持させ、帯革体に保持固定すると共に、帯革体表面の下部に配設の上下に回動する棒体揺れ止めを、ほぼ水平に回動させ棒体に軽く当接させることにより警棒の揺れを止める構造で、警棒の確実な保持固定と、警棒取り出し時は凹型嵌合部の側面から接合部分の爪を指で押圧し爪受け部との接合を外すことにより、凸型嵌合部が離放し、凸型嵌合部と凹型嵌合部で保持していた警棒も保持を解かれることから、速やかに取出せる。
【考案の効果】
【０００６】
本考案は、警棒を警棒本来の使用目的からして、左右どちらの腰にも着装でき、かつ片手で速やかに取り出せ、取り出し後から警棒を構えるまでの動作をも考慮したもので、警棒の鍔部下部を保持させるための、雌型棒体支持金具を、帯革体表面の中央部よりやや上方に配設、棒体の鍔下部を雌型棒体支持金具に当接させると共に帯革体表面の上方に配設の鍔押さえ用ワイヤー保持具に同ワイヤー中央部を保持させ、その先端に配設された雄型棒体支持金具のＵ型の先端に設けられたくさび型で対の爪部を、対の爪部の最大幅がその幅よりも狭隘なＵ型の受け入れ部を設けた雌型棒体支持金具凹型嵌合部の受け入れ部に、雄型棒体支持金具凸型部のＵ型先端の爪部を両側面から押し縮め、その内面に当接しながら挿入合致させ、爪部の復元力によって爪部を爪受け部で受け止め接合するもので、Ｕ型の雄型棒体支持金具とＵ型の雌型棒体支持金の間に出来たほぼ円形の空間で棒体の鍔下部を保持固定する。次に帯革体表面の下方に配設の棒体揺れ止め保持具に保持部を支点として上下に回動するリングを一部切断したような形状である棒体揺れ留めの中央部を保持し、棒体揺れ止めを上方に回動させ開きながら揺れ留めで棒体を軽く保持する。警棒を取り出すには、警棒の柄部を順手に握ると同時に母指、示指等の先端部で鍔下の雌型棒体支持金具の両側面に設けて爪部に接している離脱用押し釦を押圧することにより、くさび型爪部を爪受け部から外し、同時にワイヤー先端部の雄型棒体支持金具も取り出し時の警棒の外方への力が加わり瞬時に離放される。鍔前部は短くかつ金属で滑らかであるため、抜通時に２本のワイヤー間を何ら支障無く抜通し、雌型棒体支持金具も肢指の離放によりそのまま下方に回動するためスムーズに下方に引き抜くことができる。抜鍔前部が抜けると同時に雄型棒体支持金具も鍔押さえ用ワイヤー保持部を支点に下方に回動するため、後の諸動作の支障にならなくなる。警棒付属のストラップはその先端に小型の根付け、鰐口クリップ等を付属させ、これをベルトとズボン間に差し挟んだり、ベルトに挟むことにより、警棒取出し時の万が一の落下防止となり、さらにストラップ止めを帯革体表側に向くように警棒を取付けることにより、ストラップがほとんど隠れ警棒の奪取防止、ストラップの揺れ防止、引っかけ防止等が図られるとともに、又外観上も体裁良く整うものである。
【考案を実施するための最良の形態】
【０００７】
本考案の警棒吊りにあって、警棒の装着は、警棒入れを左腰に装着する場合帯革体表面上部に配設の鍔押さえ用ワイヤー保持具に同ワイヤー中央部を保持させ、同ワイヤー２本の間とワイヤー先端に配設の雄型棒体支持金具の空間に警棒の鍔前部を挿通し、棒体の鍔下部を雌型棒体支持金具に当接させて同ワイヤーで上方から鍔部を押さえつつ、雄型棒体支持金具のＵ型の先端に設けられたくさび型で対の爪部を、対の爪部の最大幅がその幅よりも狭隘なＵ型の雌型嵌合部の、受け入れ部を設けた雌型棒体支持金具凹型嵌合部の受け入れ部内面に、雄型棒体支持金具凸型部のＵ型先端の爪部を両側面から押し縮め当接しながら挿入合致させ、爪部の復元力によって合致後爪部を爪受け部で受け止め、同所を接合することによりＵ型の雄型棒体支持金具とＵ型の雌型棒体支持金の間に出来たほぼ円形の空間で棒体の鍔下部を保持固定する。次に帯革体表面の下方に配設の棒体揺れ止め保持具に保持部を支点として上下に回動するリングの一部切断した形状の棒体揺れ留めの中央部を保持させ、棒体揺れ止めを上方に開きながら回動させリング内で棒体を軽く保持する。
【０００８】
警棒を取り出す場合は、まず右手で警棒の柄部を順手に掌握すると同時に、母指、示指等の先端部で鍔部下の雌型棒体支持金具の両側面に付している離脱用押し釦を両側面から押圧することにより爪部と爪受け部が外れ、それによりワイヤー先端部の雄型棒体支持金具も警棒抜き取り持の外方向への力が加わり抜出離放され、又接合解離釦から指を離すことにより、雌型棒体支持金具はそのまま下方に回動する。なお爪受け部周辺にあっては爪部を伸長させ、爪部押し用の押し釦を省き、直接指で爪部を押すような仕様も可能である。帯革体の表面下方に配設の棒体揺れ止めも、棒体に軽く当接しているのみであるため取り出しには何ら支障無く、取り出しと同時に棒体から離れ下方に回動する。
【０００９】
順手で掌握し取り出した警棒はそのまま下方に引き抜くが、接合部が離放した時点では警棒の鍔前部は依然２本のワイヤー間に存在するが、ワイヤーは柔軟性がある上、ワイヤーと警棒間の間隙は十分にあり、又警棒の先端部は短く、かつ金属で滑らかであるため、鍔前部は抜通時に何ら支障無く下方に向け取り出すことができ、警棒が抜けると同時にワイヤー及びワイヤーに配設の雄型棒体支持金具もワイヤー保持具を支点に下方に回動しその後の動作に支障を及ぼさない。警棒は下方に向け取り出すため警棒先端部分はその後の構えになる時、逆Ｕ型の円を描くため重力と遠心力の作用で他の振り出し方法より、よりスムーズに最小の弧形で伸長して最長サイズとなり、取り出しから構えまでが一挙動で終了する。
【実施例】
【００１０】
以下本考案の実施例を図面を参照して説明する。図１は本考案の警棒吊り１を示す正面図であり、図２は警棒吊り１の側面図である。警棒吊り１は、警棒吊り１の本体を兼ねたベルト通し２３を備え、ベルト通し２３の正面側には上部から下部にかけて３段の、上部から鍔押さえ用のワイヤー保持具１７、中部には帯革側の一片を固定した長方形の板状で、雄型棒体支持金具３の爪部を押す為の押し釦２を設けた雌型棒体支持金具保持具２４、下部には棒体揺れ止め保持具１６が取り付けられると共に、ワイヤー保持具１７にはワイヤー５、雌型棒体支持金具保持具２４には雌型棒体支持金具１５、棒体揺れ止め保持具１６には棒体揺れ止め１６aがそれぞれその１部を支持されている。ワイヤー保持具１７の保持部から伸長する２本のワイヤー５の先端にはＵ型の雄型棒体支持金具３が取り付けられＵ型先端にはくさび形の爪部４aが設けられている。なお押し釦にあっては図９の断面図のように爪部を伸長させ、爪部押し用の押し釦を省き、直接指で爪部を押すような仕様も可能である。
【００１１】
ベルト通し２３は、図２に示すように、縦方向に長尺の帯革体６の上端を下方に向けて上部よりを裏面側に折り返されて上部折り返し部７が形成され、上部折り返し部７と帯革体最下部１９aの間によって表当て６aが形成される。帯革体最下部１９a と同位置の裏面側１８aから最上部２１aの間でベルト通し２３と同質材の帯革体２０により裏当て２０aが形成されており、裏当て２０aの上部の裏面側に重なるように帯革体６の上部折り返し７よりも裏面側がベルト通し止め２２aに形成されている
【００１２】
帯革体６正面側下部には、棒体揺れ止め保持具１６が、保持部１６bを支点に上下に回動する棒体揺れ止め１６aの一部を挟み配設され、揺れ止めはリング抜け止め１６ｃにより保持具１６からの抜けを防止されている。
【００１３】
帯革体６正面側中部上方寄りには、雌型棒体支持金具保持具２４が同受軸部１４aを支点に上下に回動する雌型棒体支持金具１５の支軸部１３aを挟み配設されている。
【００１４】
帯革体６正面側上部には、ワイヤー保持具１７がワイヤー５を挟み配設されると共に、
ワイヤー先端部は図３、図４の拡大図に示すように、棒体取り付け時に雄型棒体支持金具３の上部側にワイヤー５が通じるように、下部がテーパー状に広がっているワイヤー挿入孔１９に挿通させてワイヤー先端部を加熱処理して広げ固定し抜落防止を図っている。
【００１５】
図２に示すように、裏当て２０aの上部の裏面側には雄ホック２１が取り付けられる一方裏当て２０aの裏面側に重なるベルト通し止め２２aの先部の正面側には裏当て２０aに設けた雄ホック２１に嵌合係止及び離脱自在である雌ホック２２が取り付けられている。
【００１６】
雌型棒体支持金具保持具２４は図４、図６および図７に示すように横長の板状の金具基板１３ｂの中央部に正面側が凸状になるように、又その断面形容はＵ溝となる受軸部１４aが左右に方向に設けられ支軸部１３aをはさみ上側及び下側にそれぞれリベット用の挿通孔１0a、１1aが設けられている。
【００１７】
ワイヤー保持具１７と、棒体揺れ留め支持具１６とは図１に示すようにほぼ同等に構成され共に雌型棒体支持金具保持具２４の仕様と同一に形成されている。
【００１８】
また、図２で示すように表当て６aと裏当て２０aとをあわせて固定している棒体揺れ止め保持金具１６の上方側のリベット１２から上側の表当てと裏当てとの間でベルト通し口2４aが形成される。表当て６aをベルト２５の表面に当て裏当て２０aをベルト２５の裏面に当ててベルト２５をベルト通し口２４aに通し、ベルト２５の裏面側ベルト通し止め２２aを裏当て２０aに重ね会わせ、裏当て２０aに取り付けられた雄ホック２１を、ベルト通し止め２２aに取り付けられた雌ホック２２に押し込んで嵌合係止させて、ベルト通し２３を装着させる。
【００１９】
次に警棒吊り１の作用について説明する。図５で示すように警棒２７を帯革体６へ保持固定させるには、図２に示すように、帯革体６をベルト２５に装着した状態において、帯革体６に設けられた雌型棒体支持金具１５及び棒体揺れ止め１６aとも下方に垂下回動しているがその状態において警棒２７の鍔前部２９を２本のワイヤー５の間へ下方から挿通させるとともに、警棒２７の鍔下部を帯革体表面６aの雌型棒体保持具２４のＵ型部へ当接して、ワイヤー５を鍔２８に押し当てながら、雄型棒体支持金具３の凸型嵌合部４のＵ型先端の対に設けられている爪部間の最大幅よりも狭隘な雌型棒体支持金具嵌合部１４に爪部４aを両側面から押し縮めながら当接挿入合致させ、図３の断面図に示すように爪部間の復元力により爪受け部１４bで受け止め接合する。接合により警棒２７は雌型棒体支持金具１５と雄型棒体支持金具３で保持固定され、さらにワイヤーで帯革体６側に押圧されるため補強及び脱落防止が図られ、帯革体６に当接固定される。なお爪受け部１４b周辺にあっては図９図の断面図のように爪部４aを伸長させ、爪部押し用の押し釦２を省き、直接指で爪部を押すような仕様も可能である。
【００２０】
接合終了後棒体揺れ止め１６ａを、上方に水平方向まで回動させつつ揺れ止めを広げ、棒体をリング内に入れ保持させるが、軽く当接しているため警棒は全く支障無く取り出せる。揺れ止めにあっては下方からさらに後方へ回動させ、前当てと後ろ当ての間に挟置させることができ、後方へ回動させて置くことにより、警棒２７の抜き取りをよりスムーズに出来るもので、緊急取り出しの状態に応じて、あらかじめ変更しておくことが出来る。
【００２１】
図５に示す警棒２７を下方に向け取り出すには、警棒の柄部を順手に掌握すると同時に、母指、示指等の先端部で鍔部下の雌型棒体支持金具１５の両側面に付している滑り止め付き離放用押し釦２を両側面から押圧することにより釦に接している爪部４aと爪受け部１４bが外れ、それによりワイヤー先端部の雄型棒体支持金具３も警棒抜き取り時の外方向への力が加わり抜出離放され、離脱用押し釦２からの母指、示指の離放により雌型棒体支持金具１５はそのまま下方に回動する。雌型、雄型棒体支持金具から離放された警棒２７は棒体支持部の接合部が離放した時点で下方に引き抜くが、２本のワイヤー間の間隙は広く又鍔前部２９は、短くかつ金属で滑らかであるため、先端部は抜通時に何ら支障無く下方に引き抜ける。
【００２２】
又、図８に示すように警棒２７を帯革体に固定させる場合、警棒２７にはストラップ３０が付設していることから、このストラップ３０先端に小型の根付け３１又は鰐口クリップ等を付属させ、これをベルト２５とズボン間に差し入れて狭持させることにより、警棒２７取出し時の万が一の落下防止が図られ、さらに図のようにストラップ止め３０aを帯革体表側に向くように警棒２７を取付けると、ストラップがほとんど警棒２７の後部に隠れることから,警棒２７の奪取防止、ストラップの揺れ防止、引っかけ防止が図られるとともに、又外観上も体裁良く整うものである。
【００２３】
以上本考案は、警棒２７を下方に引き抜いてから伸長させ、構えるまでの動作が弓形の弧を描く動作のみで行えるもので、警棒を下方に向けてから上方に向けての振り出しが、重力プラス遠心力を利用するため、物理的にも他の方法での重力に逆らう上方からの振り出しや、側方からの振り出しに比べ最小の弧形で警棒２７を伸長させられ、無駄な動作が無くきわめて短時間で構えることが出来るものである。
【産業上の利用可能性】
【００２４】
伸縮式警棒は主として司法公安職である警察官、刑務官、自衛官、海上保安庁職員等が使用しており、その他にも警備業務に従事の警備員、ガードマンの護身用等、自己防衛を必要としている業務等幅広く使用されている状態にある。
【図面の簡単な説明】
【００２５】
【図１】本考案の実施例に係る警棒吊りの正面図
【図２】本考案の実施例に係る警棒吊りの側面図
【図３】図５のＡ―Ａ線断面図
【図４】棒体支持金具取り付けの拡大図
【図５】警棒を取り付けた状態の側面図
【図６】棒体支持金具挟持金具１３の正面図
【図７】棒体支持金具挟持金具１３の側面図
【図８】警棒を取り付けた状態の正面図
【符号の説明】
【００２６】
１  警棒吊り
２  離放用爪部押し釦
３  雄型棒体支持金具
４  雄型棒体支持金具凸型嵌合部
４a 爪部
５  鍔押さえ用ワイヤー
６  帯革体
６a 表当て
７  上部折り返し部
８  リベット
９  リベット
10  リベット
11  リベット
12  リベット  
13  リベット
13a 雌型棒体支持金具支軸部
13b 受軸部基板
14  雌型棒体支持金具凹型嵌合部
14a 雌型棒体支持金具受軸部
14b 爪受け部
15  雌型棒体支持金具
16  棒体揺れ止め保持具
16a 棒体揺れ止め
16b 棒体揺れ止め保持部
16c リング抜け止め
17  ワイヤー保持具
18  トップボール
19  ワイヤー挿通孔
20  帯革体
20a 裏当て
21  雄型釦
21a 裏当て最上部 
22  雌型釦
22a ベルト通し留め
23  ベルト通し  
24  雌型棒体支持金具保持具  
24a ベルト通し口
25  ベルト
26  掌握部
27  警棒
28  鍔部
29  鍔前部
30  ストラップ
30a ストラップ止め
31  根付け等
【手続補正書】
【提出日】平成16年6月30日(2004.6.30)
【手続補正１】
【補正対象書類名】図面
【補正対象項目名】全図
【補正方法】変更
【補正の内容】
【図１】
0003105017.tif 000019
【図２】
0003105017.tif 000020
【図３】
0003105017.tif 000021
【図４】
0003105017.tif 000022
【図５】
0003105017.tif 000023
【図６】
0003105017.tif 000024
【図７】
0003105017.tif 000025
【図８】
0003105017.tif 000026
【図９】
0003105017.tif 000027
【手続補正書】
【提出日】平成16年7月26日(2004.7.26)
【手続補正１】
【補正対象書類名】明細書
【補正対象項目名】全文
【補正方法】変更
【補正の内容】
【考案の詳細な説明】
【技術分野】
【０００１】
本考案は、たとえば警棒を速やかに取出すための警棒吊りに関する。
【背景技術】
【０００２】
以下鍔付伸縮式警棒を警棒と略して説明するが、警棒は使用目的からすれば警棒を警棒受け等に確実に固定するとともに、緊急取出し時には速やかに取出せなければならないという条件が必要であり、現状は警棒を筒状もしくは、リング状の輪の中に差し込み、これをバンド等に止め携帯している。（たとえば特許文献特開平８−４２９９７号参照。）。
特許文献特開平８−４２９９７号の製品は、警棒を皮製の台に取付けられたリング状の輪の中に差し込み、これをベルト、帯革等に装着して使用している状態である。
【特許文献１】特開平８−４２９９７号  公報
【考案の開示】
【考案が解決しようとする課題】
【０００３】
緊急に警棒を使用しなければならない場合において、たとえば、特許文献特開平８−４２９９７号のリング式警棒吊り、又は筒状の警棒吊りにあっては警棒を取出す場合、警棒吊りの上方から警棒を取出し警棒を完全に伸ばした後、暴漢等の違法行為者に対して構えなければならないためその間の動作には、同文献に記載の補助ベルトと記述の警棒の脱落防止装置を外したり、取出した警棒を持ち替えたり、警棒を伸ばすなどと手間どり、また上衣を着ている場合等は上衣を持ち上げながらの動作となることから両手を使用しても、緊急時において迅速な取出しが出来ない状態である。
【０００４】
さらに同リング式の警棒吊りにあっては、警棒の把持部がリングと必然的に当接しており、また把持部がゴム製の滑り止め仕様になっているため、警棒の取出し時において、把持部とリングの間に高摩擦を生じ、リングを水平状態で維持できず強引に上方に回動させるため、抜こうとした警棒は、上方に回動したリングで挟持され、急速に抜こうとするほど強くロックされる状態となるなどし、抜き取りが困難となっているため、これら抜き取りにおける困難要因をすべて解消し、片手で簡単、かつ迅速な取出しのできる警棒吊りの実現を目的とするものである。
【課題を解決するための手段】
【０００５】
基本的には警棒の鍔下部を、保持固定するもので、帯革体表面上部からの以下ワイヤーと略して説明の、化学繊維製強化ワイヤー２本と雄型棒体支持金具の間に警棒の鍔前部を挿通させ、同ワイヤーで上方から鍔部を押さえつつ、同ワイヤー先端に配設の雄型棒体支持金具の凸型嵌合部を、帯革体表面中部に配設の雌型支持金具の凹型嵌合部に挿入し、爪部を爪受け部で合致接合させることにより、凸型嵌合部のＵ型部と凹型嵌合部のＵ型部で作られた、ほぼ円形の空間で鍔下部を挟持させ、帯革体に保持固定すると共に、帯革体表面の下部に配設の上下に回動する棒体揺れ止めを、ほぼ水平に回動させ棒体に軽く当接させることにより警棒の揺れを止める構造で、警棒の確実な保持固定と、警棒取出し時は凹型嵌合部の側面から接合部分の爪を指で押圧し爪受け部との接合を外すことにより、凸型嵌合部が離放し、凸型嵌合部と凹型嵌合部で保持していた警棒も保持を解かれることから、速やかに取出せる。
【考案の効果】
【０００６】
本考案は、警棒を警棒本来の使用目的からして、左右どちらの腰にも着装でき、かつ片手で速やかに取り出せ、取出し後から警棒を構えるまでの動作をも考慮したもので、警棒の鍔部下部を保持させるための、雌型棒体支持金具を、帯革体表面の中央部よりやや上方に配設、棒体の鍔下部を雌型棒体支持金具に当接させると共に帯革体表面の上方に配設の鍔押さえ用ワイヤー保持具に同ワイヤー中央部を保持させ、その先端に配設された雄型棒体支持金具のＵ型の先端に設けられたくさび型で対の爪部を、対の爪部の最大幅がその幅よりも狭隘なＵ型の受け入れ部を設けた雌型棒体支持金具凹型嵌合部の受け入れ部に、雄型棒体支持金具凸型部のＵ型先端の爪部を両側面から押し縮め、その内面に当接しながら挿入合致させ、爪部の復元力によって爪部を爪受け部で受け止め接合するもので、Ｕ型の雄型棒体支持金具とＵ型の雌型棒体支持金の間に出来たほぼ円形の空間で棒体の鍔下部を保持固定する。次に帯革体表面の下方に配設の棒体揺れ止め保持具に保持部を支点として上下に回動するリングを一部切断したような形状である棒体揺れ留めの中央部を保持し、棒体揺れ止めを上方に回動させ開きながら揺れ留めで棒体を軽く保持する。警棒を取出すには、警棒の柄部を順手に握ると同時に母指、示指等の先端部で鍔下の雌型棒体支持金具の両側面に設けて爪部に接している離脱用押し釦を押圧することにより、くさび型爪部を爪受け部から外し、同時にワイヤー先端部の雄型棒体支持金具も取出し時の警棒の外方への力が加わり瞬時に離放される。鍔前部は短くかつ金属で滑らかであるため、抜通時に２本のワイヤー間を何ら支障無く抜通し、雌型棒体支持金具も肢指の離放によりそのまま下方に回動するためスムーズに下方に引き抜くことができる。抜鍔前部が抜けると同時に雄型棒体支持金具も鍔押さえ用ワイヤー保持部を支点に下方に回動するため、後の諸動作の支障にならなくなる。警棒付属のストラップはその先端に小型の根付け、鰐口クリップ等を付属させ、これをベルトとズボン間に差し挟んだり、ベルトに挟むことにより、警棒取出し時の万が一の落下防止となり、さらにストラップ止めを帯革体表側に向くように警棒を取付けることにより、ストラップがほとんど隠れ警棒の奪取防止、ストラップの揺れ防止、引っかけ防止等が図られるとともに、又外観上も体裁良く整うものである。
【考案を実施するための最良の形態】
【０００７】
本考案の警棒吊りにあって、警棒の装着は、警棒入れを左腰に装着する場合帯革体表面上部に配設の鍔押さえ用ワイヤー保持具に同ワイヤー中央部を保持させ、同ワイヤー２本の間とワイヤー先端に配設の雄型棒体支持金具の空間に警棒の鍔前部を挿通し、棒体の鍔下部を雌型棒体支持金具に当接させて同ワイヤーで上方から鍔部を押さえつつ、雄型棒体支持金具のＵ型の先端に設けられたくさび型で対の爪部を、対の爪部の最大幅がその幅よりも狭隘なＵ型の雌型嵌合部の、受け入れ部を設けた雌型棒体支持金具凹型嵌合部の受け入れ部内面に、雄型棒体支持金具凸型部のＵ型先端の爪部を両側面から押し縮め当接しながら挿入合致させ、爪部の復元力によって合致後爪部を爪受け部で受け止め、同所を接合することによりＵ型の雄型棒体支持金具とＵ型の雌型棒体支持金の間に出来たほぼ円形の空間で棒体の鍔下部を保持固定する。次に帯革体表面の下方に配設の棒体揺れ止め保持具に保持部を支点として上下に回動するリングの一部切断した形状の棒体揺れ留めの中央部を保持させ、棒体揺れ止めを上方に開きながら回動させリング内で棒体を軽く保持する。
【０００８】
警棒を取出す場合は、まず右手で警棒の柄部を順手に掌握すると同時に、母指、示指等の先端部で鍔部下の雌型棒体支持金具の両側面に付している離脱用押し釦を両側面から押圧することにより爪部と爪受け部が外れ、それによりワイヤー先端部の雄型棒体支持金具も警棒抜き取り持の外方向への力が加わり抜出離放され、又接合解離釦から指を離すことにより、雌型棒体支持金具はそのまま下方に回動する。なお爪受け部周辺にあっては爪部を伸長させ、爪部押し用の押し釦を省き、直接指で爪部を押すような仕様も可能である。帯革体の表面下方に配設の棒体揺れ止めも、棒体に軽く当接しているのみであるため取出しには何ら支障無く、取出しと同時に棒体から離れ下方に回動する。
【０００９】
順手で掌握し取出した警棒はそのまま下方に引き抜くが、接合部が離放した時点では警棒の鍔前部は依然２本のワイヤー間に存在するが、ワイヤーは柔軟性がある上、ワイヤーと警棒間の間隙は十分にあり、又警棒の先端部は短く、かつ金属で滑らかであるため、鍔前部は何ら支障無く下方に抜通することができ、警棒が抜けると同時にワイヤー及びワイヤーに配設の雄型棒体支持金具もワイヤー保持具を支点に下方に回動するためその後の体の動作等に支障を及ぼさない。警棒は下方に向け取出すため警棒先端部分はその後の構えになる時、Ｕ型の円を描くため重力と遠心力の相乗作用で他の振り出し方法より、より最小の弧形で伸長して使用サイズとなり、取り出しから構えまでが一挙動で終了する。
【実施例】
【００１０】
以下本考案の実施例を図面を参照して説明する。図１は本考案の警棒吊り１を示す正面図であり、図２は警棒吊り１の側面図である。警棒吊り１は、警棒吊り１の本体を兼ねたベルト通し２３を備え、ベルト通し２３の正面側には上部から下部にかけて３段の、上部から鍔押さえ用のワイヤー保持具１７、中部には帯革側の一片を固定した長方形の板状で、雄型棒体支持金具３の爪部を押す為の押し釦２を設けた雌型棒体支持金具保持具２４、下部には棒体揺れ止め保持具１６が取付けられると共に、ワイヤー保持具１７にはワイヤー５、雌型棒体支持金具保持具２４には雌型棒体支持金具１５、棒体揺れ止め保持具１６には棒体揺れ止め１６aがそれぞれその１部を支持されている。ワイヤー保持具１７の保持部から伸長する２本のワイヤー５の先端にはＵ型の雄型棒体支持金具３が取り付けられＵ型先端にはくさび形の爪部４aが設けられている。なお押し釦にあっては図９の断面図のように爪部を伸長させ、爪部押し用の押し釦を省き、直接指で爪部を押すような仕様も可能である。
【００１１】
ベルト通し２３は、図２に示すように、縦方向に長尺の帯革体６の上端を下方に向けて上部よりを裏面側に折り返されて上部折り返し部７が形成され、上部折り返し部７と帯革体最下部１９aの間によって表当て６aが形成される。帯革体最下部１９a と同位置の裏面側１８aから最上部２１aの間でベルト通し２３と同質材の帯革体２０により裏当て２０aが形成されており、裏当て２０aの上部の裏面側に重なるように帯革体６の上部折り返し７よりも裏面側がベルト通し止め２２aに形成されている
【００１２】
帯革体６正面側下部には、棒体揺れ止め保持具１６が、保持部１６bを支点に上下に回動する棒体揺れ止め１６aの一部を挟み配設され、揺れ止めはリング抜け止め１６ｃにより保持具１６からの抜けを防止されている。
【００１３】
帯革体６正面側中部上方寄りには、雌型棒体支持金具保持具２４が同受軸部１４aを支点に上下に回動する雌型棒体支持金具１５の支軸部１３aを挟み配設されている。
【００１４】
帯革体６正面側上部には、ワイヤー保持具１７がワイヤー５を挟み配設されると共に、
ワイヤー先端部は図３、図４の拡大図に示すように、棒体取り付け時に雄型棒体支持金具３の上部側にワイヤー５が通じるように、下部がテーパー状に広がっているワイヤー挿入孔１９に挿通させてワイヤー先端部を加熱処理して広げ固定し抜落防止を図っている。
【００１５】
図２に示すように、裏当て２０aの上部の裏面側には雄ホック２１が取り付けられる一方裏当て２０aの裏面側に重なるベルト通し止め２２aの先部の正面側には裏当て２０aに設けた雄ホック２１に嵌合係止及び離脱自在である雌ホック２２が取付けられている。
【００１６】
雌型棒体支持金具保持具２４は図４、図６および図７に示すように横長の板状の金具基板１３ｂの中央部に正面側が凸状になるように、又その断面形容はＵ溝となる受軸部１４aが左右に方向に設けられ支軸部１３aをはさみ上側及び下側にそれぞれリベット用の挿通孔１0a、１1aが設けられている。
【００１７】
ワイヤー保持具１７と、棒体揺れ留め支持具１６とは図１に示すようにほぼ同等に構成され共に雌型棒体支持金具保持具２４の仕様と同一に形成されている。
【００１８】
また、図２で示すように表当て６aと裏当て２０aとをあわせて固定している棒体揺れ止め保持金具１６の上方側のリベット１２から上側の表当てと裏当てとの間でベルト通し口2４aが形成される。表当て６aをベルト２５の表面に当て裏当て２０aをベルト２５の裏面に当ててベルト２５をベルト通し口２４aに通し、ベルト２５の裏面側ベルト通し止め２２aを裏当て２０aに重ね会わせ、裏当て２０aに取り付けられた雄ホック２１を、ベルト通し止め２２aに取り付けられた雌ホック２２に押し込んで嵌合係止させて、ベルト通し２３を装着させる。
【００１９】
次に警棒吊り１の作用について説明する。図５で示すように警棒２７を帯革体６へ保持固定させるには、図２に示すように、帯革体６をベルト２５に装着した状態において、帯革体６に設けられた雌型棒体支持金具１５及び棒体揺れ止め１６aとも下方に垂下回動しているがその状態において警棒２７の鍔前部２９を２本のワイヤー５の間へ下方から挿通させるとともに、警棒２７の鍔下部を帯革体表面６aの雌型棒体保持具２４のＵ型部へ当接して、ワイヤー５を鍔２８に押し当てながら、雄型棒体支持金具３の凸型嵌合部４のＵ型先端の対に設けられている爪部間の最大幅よりも狭隘な雌型棒体支持金具嵌合部１４に爪部４aを両側面から押し縮めながら当接挿入合致させ、図３の断面図に示すように爪部間の復元力により爪受け部１４bで受け止め接合する。接合により警棒２７は雌型棒体支持金具１５と雄型棒体支持金具３で保持固定され、さらにワイヤーで帯革体６側に押圧されるため補強及び脱落防止が図られ、帯革体６に当接固定される。なお爪受け部１４b周辺にあっては図９図の断面図のように爪部４aを伸長させ、爪部押し用の押し釦２を省き、直接指で爪部を押すような仕様も可能である。
【００２０】
接合終了後棒体揺れ止め１６ａを、上方に水平方向まで回動させつつ揺れ止めを広げ、棒体をリング内に入れ保持させるが、軽く当接しているため警棒は全く支障無く取り出せる。揺れ止めにあっては下方からさらに後方へ回動させ、前当てと後ろ当ての間に挟置させることができ、後方へ回動させて置くことにより、警棒２７の抜き取りをよりスムーズに出来るもので、緊急取出しの状態に応じて、あらかじめ変更しておくことが出来る。
【００２１】
図５に示す警棒２７を下方に向け取出すには、警棒の柄部を順手に掌握すると同時に、母指、示指等の先端部で鍔部下の雌型棒体支持金具１５の両側面に付している滑り止め付き離放用押し釦２を両側面から押圧することにより釦に接している爪部４aと爪受け部１４bが外れ、それによりワイヤー先端部の雄型棒体支持金具３も警棒抜き取り時の外方向への力が加わり抜出離放され、離脱用押し釦２からの母指、示指の離放により雌型棒体支持金具１５はそのまま下方に回動する。雌型、雄型棒体支持金具から離放された警棒２７は棒体支持部の接合部が離放した時点で下方に引き抜くが、２本のワイヤー間の間隙は広く又鍔前部２９は、短くかつ金属で滑らかであるため、先端部は抜通時に何ら支障無く下方に引き抜ける。
【００２２】
又、図８に示すように警棒２７を帯革体に固定させる場合、警棒２７にはストラップ３０が付設していることから、このストラップ３０先端に小型の根付け３１又は鰐口クリップ等を付属させ、これをベルト２５とズボン間に差し入れて狭持させることにより、警棒２７取出し時の万が一の落下防止が図られ、さらに図のようにストラップ止め３０aを帯革体表側に向くように警棒２７を取付けると、ストラップがほとんど警棒２７の後部に隠れることから,警棒２７の奪取防止、ストラップの揺れ防止、引っかけ防止が図られるとともに、又外観上も体裁良く整うものである。
【００２３】
以上本考案は、警棒２７を下方に引き抜いてから伸長させ、構えるまでの動作が弓形の弧を描く動作のみで行えるもので、物理的にも警棒を下方に向けてから上方に向けての振り出しが、重力プラス遠心力の相乗効果により、他の方法での重力に逆らう上方からの振り出しや、側方からの振り出しに比べ最小の弧形で警棒２７を伸長させられ、無駄な動作が無くきわめて短時間で構えることが出来るものである。
【産業上の利用可能性】
【００２４】
伸縮式警棒は主として司法公安職である警察官、刑務官、自衛官、海上保安庁職員等が使用しており、その他にも警備業務に従事の警備員、ガードマンの護身用等、自己防衛を必要としている業務等幅広く使用されている状態にある。
【図面の簡単な説明】
【００２５】
【図１】本考案の実施例に係る警棒吊りの正面図
【図２】本考案の実施例に係る警棒吊りの側面図
【図３】図５のＡ―Ａ線断面図
【図４】棒体支持金具取り付けの拡大図
【図５】警棒を取り付けた状態の側面図
【図６】棒体支持金具挟持金具１３の正面図
【図７】棒体支持金具挟持金具１３の側面図
【図８】警棒を取り付けた状態の正面図
【図９】爪部押し釦を省いた仕様の断面図
【符号の説明】
【００２６】
１  警棒吊り
２  離放用爪部押し釦
３  雄型棒体支持金具
４  雄型棒体支持金具凸型嵌合部
４a 爪部
５  鍔押さえ用ワイヤー
６  帯革体
６a 表当て
７  上部折り返し部
８  リベット
９  リベット
10  リベット
11  リベット
12  リベット  
13  リベット
13a 雌型棒体支持金具支軸部
13b 受軸部基板
14  雌型棒体支持金具凹型嵌合部
14a 雌型棒体支持金具受軸部
14b 爪受け部
15  雌型棒体支持金具
16  棒体揺れ止め保持具
16a 棒体揺れ止め
16b 棒体揺れ止め保持部
16c リング抜け止め
17  ワイヤー保持具
18  トップボール
19  ワイヤー挿通孔
20  帯革体
20a 裏当て
21  雄型釦
21a 裏当て最上部 
22  雌型釦
22a ベルト通し留め
23  ベルト通し  
24  雌型棒体支持金具保持具  
24a ベルト通し口
25  ベルト
26  掌握部
27  警棒
28  鍔部
29  鍔前部
30  ストラップ
30a ストラップ止め
31  根付け等